(57)【要約】  【課題】伝送対象として設定された画像に対応して伝送対象である旨の情報を記録媒体に記録する。  【解決手段】再生表示して伝送対象として選択した画像データのディレクトリ番号やファイル名等の画像特定情報をコントロールファイルに格納し、この画像特定情報によって特定される画像ファイルの画像データを伝送開始指示に対応して順次伝送できると共に、当該伝送動作中はその状態をデジタルカメラ装置においてユーザに認識可能となしている。【選択図】      図１
2004222317.tif 000002
【特許請求の範囲】
【請求項１】
当該適用された情報記録媒体にファイル形式で記録された画像データであって当該カメラ装置にて再生可能なすべての画像データを再生可能な再生手段と、
前記再生手段によって再生された画像を表示する表示手段と、
前記表示手段に表示された画像に基づいて、前記再生可能なすべての画像データのうちの所望の画像データを上記カメラ装置上に設けられたスイッチを利用して予め選択し、伝送対象として指定する指定手段と、
前指定手段により指定された伝送対象となる画像データにおけるディレクトリ番号またはファイル名等の画像特定情報を、同情報記録媒体上に画像ファイルとは別に格納されたファイルであるコントロールファイルに格納する画像特定情報格納手段と、
前記画像特定情報格納手段によってコントロールファイルに格納保持された画像特定情報によって特定される画像ファイルの画像データの伝送の開始を指示する伝送指示手段と、
前記伝送指示手段によって伝送指示がなされた場合に、前記画像特定情報格納手段によってコントロールファイルに一括して格納保持された画像特定情報によって特定される画像ファイルの画像データを順次伝送する伝送手段と、
を有し、
前記伝送手段による伝送処理の実行中は伝送処理中であることを認識可能な表示を行うと共に、当該伝送が終了した際には伝送終了を認識可能な表示を行うことを特徴とするデジタルカメラ装置。
【発明の詳細な説明】
【技術分野】
【０００１】
本発明は、画像データを伝送できるデジタルカメラ装置に関する。
【背景技術】
【０００２】
デジタルスチルカメラ（ＤＳＣ）のような画像記録／再生装置では、撮像画像を電気的画像データに変換し、変換された画像データをＩＣメモリカード、フロッピーディスク（ＦＤ）等の記録媒体に記録したり、画像データを通信回線を介して伝送することができる。受信側では、同様な画像記録／再生装置を用いて通信回線を介して受信した画像データを再生する。
【発明の開示】
【発明が解決しようとする課題】
【０００３】
従来の画像伝送において、伝送対象として設定された画像に対応して伝送対象である旨の情報を記録媒体に記録するものはなく、仮にその伝送対象である旨の情報を画像ファイル毎に属性情報等と共に付加した場合には、その情報を読み込むために記録媒体に記録された全画像ファイルを読み込まねばならず、伝送処理が煩雑になってしまう。また、画像伝送を行うデジタルカメラ装置についてみれば、画像伝送動作を行わしめるための最適な構成とはなっていなかった。
【課題を解決するための手段】
【０００４】
前述の課題を解決するため、本発明によるデジタルカメラ装置は、
当該適用された情報記録媒体にファイル形式で記録された画像データであって当該カメラ装置にて再生可能なすべての画像データを再生可能な再生手段と、
前記再生手段によって再生された画像を表示する表示手段と、
前記表示手段に表示された画像に基づいて、前記再生可能なすべての画像データのうちの所望の画像データを上記カメラ装置上に設けられたスイッチを利用して予め選択し、伝送対象として指定する指定手段と、
前指定手段により指定された伝送対象となる画像データにおけるディレクトリ番号またはファイル名等の画像特定情報を、同情報記録媒体上に画像ファイルとは別に格納されたファイルであるコントロールファイルに格納する画像特定情報格納手段と、
前記画像特定情報格納手段によってコントロールファイルに格納保持された画像特定情報によって特定される画像ファイルの画像データの伝送の開始を指示する伝送指示手段と、
前記伝送指示手段によって伝送指示がなされた場合に、前記画像特定情報格納手段によってコントロールファイルに一括して格納保持された画像特定情報によって特定される画像ファイルの画像データを順次伝送する伝送手段と、
を有し、
前記伝送手段による伝送処理の実行中は伝送処理中であることを認識可能な表示を行うと共に、当該伝送が終了した際には伝送終了を認識可能な表示を行うデジタルカメラ装置。
【発明の効果】
【０００５】
本発明のデジタルカメラ装置では、再生表示して伝送対象として選択した画像データのディレクトリ番号やファイル名等の画像特定情報をコントロールファイルに格納し、この画像特定情報によって特定される画像ファイルの画像データを伝送開始指示に対応して順次伝送できると共に、当該伝送動作中はその状態をデジタルカメラ装置においてユーザに認識可能とできる。
【実施例１】
【０００６】
次に、本発明の一実施例について図面を参照しながら説明する。
【０００７】
本実施例は、記録した画像を画像処理系の異なる、つまり管理システム（ＯＳ）の異なる他の装置で利用する際、当該他の装置の管理システム（例えばＭＳーＤＯＳ）で実行可能な画像変換や表示プログラムを画像データとともに記録媒体に記録することにより、受取側（他の装置側）にて即時表示を可能とするものである。表示プログラムは、画像データが圧縮されている場合には、伸長して画像を表示するプログラムであり、画像に対する情報（名前、年齢、ＩＤ番号等）を付加することもできる。変換プログラムは、図２０で説明したように、記録側で記録した画像構造と異なる画像構造の表示系で画像を表示するのに必要な変換プログラムであり、例えば、ＮＴＳＣの画像ファイルをＲＧＢのファイルに変換するプログラムである。また、記録媒体のフォーマットでは、フォーマット自体を受取側の管理システム（ＯＳ）に適合させ、画像データは標準形態で記録し、転送ソフトで各管理システムに適合するように画像データを変換しても良い。
【０００８】
図１は、本発明によるカメラの一実施例を示す構成ブロック図である。
レンズ１を介してＣＣＤ２に結像された被写体像は、電気信号に変換された後、撮像プロセス回路３でγ補正等の所定の処理が施され、Ａ／Ｄコンバータ（ＡＤＣ）４でデジタル信号に変換される。セレクタ５は、記録時、Ａ／Ｄコンバータ４からのデジタル画像データをフレームメモリ（ＲＡＭ）６に記録するような経路を設定する。フレームメモリ６から読み出されたブロックデータ（１画面を複数個のブロックに分割したときの各分割ブロックについてのデータ）は、セレクタ７を介して圧縮・伸長ユニット８に供給される。圧縮・伸長ユニット８のＤＣＴ／ＩＤＣＴ回路８１は、離散コサイン変換／逆離散コサイン変換回路であり、上記ブロックデータをデータ圧縮のため、直交変換処理する。直交変換されて得られた変換係数は、量子化／逆量子化回路８２で量子化された後、符号化／復号化部８３で復号化される。
【０００９】
この圧縮・伸長ユニット８における符号化等の処理は、システム制御回路１２からの指示に基づいて符号化制御回路１３により制御される。すなわち、上記各分割エリア毎のコントラスト情報に基づいてシステム制御回路１２は、当該分割エリアに対する適切なＱテーブルを、上述のように、選択設定して、符号化制御回路１３を介して圧縮・伸長ユニット８における圧縮処理を制御する。こうして、カードインタフェース（Ｉ／Ｆ）回路１０に供給され、ＩＣカード１１に記録される。
【００１０】
再生時には、セレクタ５で切り換えられたデジタル画像データは、再生プロセス部１５で所定の再生処理が施され、Ｄ／Ａコンバータ１６でアナログ信号に変換された後、ＥＶＦ（電子ビューファインダー）１７やモニタ側の出力端子に出力される。
【００１１】
システム制御回路１２は、フレームメモリ６、セレクタ７，９、符号化制御回路１３、圧縮・伸長ユニット８、カードインタフェース回路１０及び通信制御回路１９の動作を制御するもので、操作部１４からの信号を受けて、後述する本発明の動作を含め、カメラ全体の各種制御を行っている。また、システム制御回路１２は、後述する各種スイッチが接続された操作部１４からの操作情報を受け、対応する制御を行うとともに、通信制御部１９と接続され、シリアルインタフェース回路２０との間で通信制御動作を行う。シリアルインタフェース回路２０には、モデムまたは伝送相手側カメラが接続されている。
【００１２】
図１の構成において、ＩＣカード１１からカードインタフェース１０を介して読み出されたデータがセレクタ９に送出される。セレクタ９を介して読み出された画像データは、圧縮・伸長ユニット８で伸長され、セレクタ７を介してフレームメモリ６に書き込まれる。フレームメモリ６から読み出された画像データは、セレクタ５を通り、再生プロセス部１５で上記再生処理が施された後、Ｄ／Ａコンバータ１６でアナログ信号に変換されてＥＶＦ１７にモニタ出力される。ＬＣＤ１８は、動作モード等が表示される。
【００１３】
操作部１４には、ＡＦ動作のためのシャッタートリガ１スイッチ１４Ａ、記録動作のためのトリガ２スイッチ１４Ｂ、再生時の再生ファイルの移動を行うための左方向及び右方向コマ送りのためのスイッチ１４Ｃ及び１４Ｄ、記録／再生を切り換えるスイッチ１４Ｅ、カメラから通信回線を介してデータの伝送、受信を行うときの通信モードを設定する通信スイッチ１４Ｆ、カメラ動作の各種モードを設定するための＋スイッチ１４Ｇと−スイッチ１４Ｈ、連続再生等の各種モードを指示するＤＲＩＶＥスイッチ１４Ｉ、電源のＯＮ／ＯＦＦを設定するＰＯＷＥＲスイッチ１４Ｊが設けられている。
【００１４】
図２には、図１に示す実施例における画像処理及びメモリカードへの記録処理系の詳細ブロック図が示されている。
【００１５】
図２は、システム制御回路１２の制御を受けて、フレームメモリ６とメモリカード１１間のデータ授受を行うための構成図である。フレームメモリ６の入力側には、Ａ／Ｄ、Ｄ／Ａバス及びセレクタ５（図示せず）を介してＡ／Ｄコンバータ４が接続され、出力側にはメモリデータバス及びセレクタ７（図示せず）を介して圧縮・伸長ユニット８が接続されている。コードＲＡＭ２４には、圧縮伸長処理に必要なパラメータが格納されており、圧縮・伸長ユニット８により記録、読み出し制御が行われる。
【００１６】
圧縮・伸長ユニット８とメモリカード１１間に接続されているカードＩ／Ｆ回路１０は、スイッチ１０１、１０２、１０４、１０５及びカードアドレス発生部１０３を備える。スイッチ１０１の２つの入力端子１０１Ａと１０１Ｂには、圧縮・伸長ユニット８から出力される圧伸カードコントロール信号とシステム制御回路１２から出力されるシスコンカードコントロール信号とがそれぞれ入力されている。スイッチ１０２の２つの入力端子１０２Ａと１０２Ｂには、圧縮・伸長ユニット８からの圧伸データバスとシステム制御回路１２からのシスコンデータバスとが接続されている。スイッチ１０１と１０２の入力端子の切り替えは、システム制御回路１２からのアクセス信号で制御される。
【００１７】
カードアドレス発生部１０３は、圧縮・伸長ユニット８から供給されるカードアドレスクロック（ＣＬＫ）とシステム制御回路１２から供給されるカードアドレスコントロール信号を受信してカードアドレスバスを介してメモリカード１１を制御して読み出し、書き込みアドレスを制御する。
【００１８】
フレームメモリコントローラ２１は、同期信号発生回路２２からのクロックＣＬＫと操作部１４からのトリガ２信号を受けるとともに、システム制御回路１２からの記録／再生切替信号ＲＰ及び圧縮伸長処理の開始信号を受けて、Ａ／Ｄコンバータ４とＤ／Ａコンバータ１６に対してクロック信号Ａ／Ｄ
ＣＬＫとＤ／Ａ ＣＬＫを送出し、フレームメモリ６に対してアドレス信号とメモリコントロール信号を送出し、また圧縮・伸長ユニット８に対して圧伸クロックＣＬＫを送出する。
【００１９】
システム制御回路１２は、トリガ２信号、フレームメモリコントローラ２１からのストップ信号等を受け、圧縮・伸長ユニット８とフレームメモリコントローラ２１にＳＴＡＲＴ信号とＲＰ信号を送出する。カードインタフェース１０では、スイッチ１０１とメモリカード１１間にスイッチ１０４を、スイッチ１０２とメモリカード１１間にスイッチ１０５を設けるとともに、伝送用データ受信バッファ２３を設けている。
【００２０】
スイッチ１０４と１０５の出力端子１０４Ａと１０５Ａがメモリカード１１と接続され、スイッチ１０４と１０５の出力端子１０４Ｂと１０５Ｂが伝送用データ受信バッファ２３と接続されており、スイッチ１０４と１０５はシステム制御回路１２からの伝送コントロール信号により制御される。伝送用データ受信バッファ２３は、カードアドレス発生部１０３からのアドレス信号によって制御される。
【００２１】
さて、本実施例では、外部メモリ２５としてＲＯＭが用意され、予め各種の管理システム対応の受信側装置特有の変換、表示プログラム等が格納されている。外部メモリ２５から選択、読み出された変換、表示プログラムがカードインタフェース１０を介してメモリカード１１に画像とともに記録される。
【００２２】
図３は、受信側としてのパソコンで、上記の如き変換、表示プログラムとともに受信したデータを処理する処理系の構成ブロック図を示す。
【００２３】
ＣＰＵ１２０は、システムＲＯＭ１２１に格納されているプログラム手順に従って動作し、外部バス（ＢＵＳ）から受信したデータをメインＲＡＭ１２２に格納する。メインＲＡＭ１２２から読み出された変換、表示プログラムに従って処理された画像データは、ＶＲＡＭ１２９に格納され、その後、読み出されてビデオＩ／Ｆ１２８を介してモニタ出力とされる。また、この画像データは、ＩＣカードＩ／Ｆ１３０を介してＩＣカード１３１に記録される。ハードディスクドライブ（ＨＤＤ）１２４やフロッピーディスクドライブ（ＦＤＤ）１２５の他、シリアルＩ／Ｆ１２６、外部ＩＯ１２７がＣＰＵ１２０に接続されている。
【００２４】
図４には、パソコン側（受信側）でのカードフォーマットの処理手順が示されている。先ず、カードの種類が認識され（ステップＳ１）、受信側のＯＳ（管理システム）を選択した（ステップＳ２）後、選択したＯＳに適合したフォーマットを行い（ステップＳ３）、受信側のＯＳに適合した表示プログラムを書き込んで（ステップＳ４）、処理を終了する。
【００２５】
図５は、受信側での表示処理手順を示すフローチャートである。
先ず、ファイルをメインメモリへロードし（ステップＳ１１）、ファイル構造を確認し（ステップＳ１２）、画素サイズが７６８×４８０か否かを判定する（ステップＳ１３）。ここで、画素サイズが７６８×４８０であれば、データが圧縮／非圧縮を判定し（ステップＳ１４）、非圧縮であればステップＳ１８の処理に移行し、圧縮であれば圧縮処理は標準か否かを判定する（ステップＳ１５）。標準と判定されれば、伸長処理を行い（ステップＳ１６）、標準でなければカスタム処理を施して（ステップＳ１７）、伸長処理を施してステップＳ１８の処理に移行する。ステップＳ１８では、アスペクト比のうち縦方向ドットをＶ４８０からＶ５７６に変換する処理を行い（ステップＳ１８）、ＶＲＡＭにデータの転送後（ステップＳ１９）、画像を表示する（ステップＳ２０）。ステップＳ１３において、画素サイズが７６８×４８０でなければ、画素サイズは７６８×２４０であるかを判定し（ステップＳ２１）、そうでなければ表示せず（ステップＳ２２）、そうであれば、ステップＳ１４，Ｓ１５，Ｓ１６およびＳ１７と同様な処理を行うステップＳ２３，Ｓ２４，Ｓ２５及びＳ２６を経て、ステップＳ２７で縦方向ドット２４０から５７６への変換処理を施す（ステップＳ２７）。その後、ＶＲＡＭへのデータの転送を行って（ステップＳ２８）、画像を表示する（ステップＳ２９）。
【００２６】
以上の実施例では、他の画像表示の処理が異なる受信側装置で容易に扱えるように、記録した画像データを画像処理変換、画像表示プログラム等とともに記録媒体に記録している。
【００２７】
次に説明する本発明の他の実施例は、画像データを受信側の管理システムに従って管理する。また、通信回線を介して接続された受信側装置に上記変換処理等のプログラムデータとともに伝送する。
【００２８】
本実施例によれば、例えば通信プログラムを用いて、多種の装置に画像データを伝送する際、受信側の管理システムを記録装置側（伝送側）で選択し、選択した管理システムで管理を行い、画像データ及び変換プログラム、表示プログラムを転送することにより受信側で即時再生を可能とする。
【００２９】
図６は本実施例のシステム構成図及び動作説明図である。
送信側のカメラで得られたカメラ画像データはカメラ側で再生されるとともに、カメラ画像ファイルとしてモデム、一般公衆回線を介して、表示プログラム等とともに伝送される。受信側のパソコンでは、モデムを介して上記画像データやプログラムデータを受信し、プログラムデータに基づいて受信画像データをパソコン画像データに変換して、モニタ上に表示する。
【００３０】
逆に、送信側のパソコンは、パソコン画像データをカメラ画像に変換し、カメラ画像データを画像ファイルとして伝送し、受信側のカメラは、モデムを介して、この画像ファイルを受信し、そのままカメラ側のモニタで再生する。
【００３１】
ＩＣメモリカードは、図７に示すような構造をもち、ＪＥＩＤＡ等の規格に準拠しており、不揮発性メモリ（ＥＥＰＲＯＭ）とコモンメモリ（ＳＲＡＭ）領域に分けられている。不揮発性メモリには、デバイス種類や容量、速度等のデバイス情報（ＴＵＰＬＥ）が格納される。また、コモンメモリは、バージョン（Ｖｅｒ．４．０）、ブロック長、初期化日時、メーカー個別情報等のその他の属性情報（ＴＵＰＬＥ）の記録領域、メーカー名、ＢＰＢ、ＦＡＴ、ディレクトリ等の管理情報（ＢＯＯＴ，ＦＡＴ，ＤＩＲ）の記録領域、画像ファイル（ＲＯＯＴ）、音声ファイル（ＲＯＯＴ）、画像ファイル（ＳＵＢ１）、音声ファイル（ＳＵＢ１）、コントロールファイル  サブディレクトリ、プログラムファイルを記録する記録データ（ＤＡＴＡーＦＩＬＥ）の記録領域（データ領域）等を有する。
【００３２】
図８には、デジタルスチルカメラで用いられるＩＣカードのデータ領域の構造図が示されている。図７に示されているデータ領域は、図８（Ａ）に示すように、画像ファイル、音声ファイルの他にプログラムファイル、コントロールファイル、サブディレクトリを有する。また、ルートディレクトリは、同図（Ｂ）に示すような構成である。
【００３３】
本実施例のカメラは、図３と図４のそれぞれと同一の構成が採用でき、シリアル通信ＩＦ２０を介して画像データやプログラムデータ等が通信回線に送出される。
【００３４】
図９には、本実施例におけるカードのフォーマットの手順が示されている。このフォーマットは基本的に図４に示すフォーマットと同様であるが、図４のステップＳ２における管理システム（ＯＳ）の選択が本実施例では転送側のＯＳ選択（ステップＳ２′）である点のみ異なる。本実施例における受信側のパソコンの構成は図３と同様である。
【００３５】
受信側（パソコン側）での処理は、図１０に示すように、パソコン側が伝送モードにあるとき、モデム設定、通信速度設定等の通信準備処理を行い（ステップＳ３１）、通信ＯＫ状態に至るのを待って（ステップＳ３２）、送信側（カメラ側）に転送開始を指示し（ステップＳ３３）、メインメモリに受信した画像データを記録する（ステップＳ３４）。続いて、通信が正常に終了したか否かを判定し（ステップＳ３５）、終了していなければステップＳ３２の処理に戻り、終了していればデータのファイル化を行った後（ステップＳ３６）、ハードディスク（ＨＤＤ）、フロッピーディスク（ＦＤ）、光磁気ディスク（ＭＯ）等に保存する（ステップＳ３７）。
【００３６】
各ファイルの構造例が図１１に示されている。画像ファイルは、ファイルヘッダーと画像データ本体から成り、画像データ本体は、図示の如くＤＳＣ仕様、バージョン、画像データ認識情報、コメント等の記録領域と、圧縮画像データ記録領域を有する。音声ファイル及びコントロールファイルも同様に、ファイルヘッダー及び音声データ本体またはコントロールデータ本体から成る。音声データ本体は、ＤＳＣ仕様、バージョン、音声データ認識情報、コメント記録領域と圧縮音声データ（ＡＤＰＣＭ等）記録領域を有する。また、コントロールデータ本体は、ＤＳＣ仕様、バージョン、コメントの記録領域と、コントロールデータ（ＳＥＮＤ  ＩＮＦＯ．電話番号、ＭＳーＤＯＳ等）記録領域を有する。本実施例のパソコン側の表示処理は図５に示す処理と同様である。
【００３７】
本実施例におけるカメラ側とパソコン側のファイル変換は、例えば図１２に示すように行われる。カメラ側では、画像ファイルＦ１と表示用プログラムファイルＦ２を合成して一つのファイルＦとして伝送し、パソコン側では、受信したファイルＦを分割して画像ファイルＦ１と表示用プログラムファイルＦ２を得るようなファイル変換を行う。
【００３８】
次に本発明の更に他の実施例を説明する。
本実施例は、記録した画像データを他の装置に伝送する際、伝送する複数画像の指定を通常のキー操作で行えるようにしたものである。
【００３９】
前述のような従来のシステムでは、カメラ側から画像ファイルの選択伝送は、キー操作により、再生している画像を１画像（ファイル）として伝送するか、コントロールファイルのような管理用の情報ファイルにて複数指定し、複数の画像（複数のファイル）を連続で伝送するようにしている。しかしながら、複数のファイルの指定をキー操作で行うことは、本来小型化が好ましいカメラのような装置では、キーの数が少ないため困難である。
【００４０】
本実施例は、カメラのようにキーの数の少ない小型装置であっても、複数の画像の指定を簡単に行い連続した画像伝送を可能とするもので、ＤＯＳ管理のディレクトリエントリＮＯ．によって複数画像指定を管理している。
【００４１】
図１３は、本実施例の動作処理手順を示すフローチャートである。
カメラ側から複数画像を指定して伝送する伝送モードにおいて、再生動作（ステップＳ４１）の後、右矢印スイッチ１４Ｄが操作されているか否かを判定し（ステップＳ４２）、操作されていれば、次の画像を再生し（ステップＳ４４）、操作されていなければ、左矢印スイッチ１４Ｃが操作されているか否かを判定する（ステップＳ４３）。ここで、操作されていれば、前の画像を再生し（ステップＳ４５）、操作されていなければトリガ１スイッチ１４ＡがＯＮか否かを判定する（ステップＳ４６）。トリガ１スイッチ１４ＡがＯＮでなければ、ステップＳ４２の処理に戻り、ＯＮであれば、再生している画像のエントリＮＯ．を取得し（ステップＳ４７）、そのエントリＮＯ．を記憶する（ステップＳ４８）。続いて、トリガ２スイッチ１４ＢがＯＮか否かを判定し（ステップＳ４９）、ＯＮでなければステップＳ４２の処理に戻り、ＯＮであれば伝送処理を行って（ステップＳ５０）、処理を終了する。
【００４２】
図１４と図１５には、画像送信側装置と受信側装置の処理手順のフローチャートが示されている。
【００４３】
図１４と図１５を参照すると、画像送信側では（図１４参照）、先ずモデムが接続されていることを認識すると（ステップＳ５１）、通信スイッチ１４ＦがＯＮになるのを待ち（ステップＳ５２）、「通信リクエスト」コマンドを画像受信側に発信する（ステップＳ５３）。一方、画像受信側では（図１５参照）、同様にモデムの接続を認識し（ステップＳ７１）、上記画像送信側からの「通信リクエスト」コマンドの受信の確認を待ち（ステップＳ７２）、受信側の受信動作が正常に行えるか否か（ＯＫ）を判定する（ステップＳ７３）。この判定は、受信側装置（例えば、カメラ）にメモリカードが挿入されているか、該メモリカードにプロテクトがかかっていないか、該メモリカードに充分な空容量があるか、該メモリカードがフォーマットされているか等を判定するものである。ステップＳ７３で、ＯＫでなければＮＧコマンドを発信して（ステップＳ７５）、ステップＳ９２の処理に移行する。
【００４４】
ステップＳ７３において、ＯＫと判定されたときには、「ＯＫ」コマンドを画像送信側に発信して（ステップＳ７４）、図１に示すＬＣＤ１８に電話マークや記録「ＲＥＣ」を表示する（ステップＳ７６）。
【００４５】
画像送信側では、この「ＯＫ」コマンドの受信を確認すると（ステップＳ５４）、当該カメラのＬＣＤを点灯して電話マークと再生「ＰＬＡＹ」を表示する（ステップＳ５５）。ここで、ユーザは、左矢印スイッチ１４Ｃや右矢印スイッチ１４Ｄを用いて送信する画像を選択する。また、「ＯＫ」コマンドを受信していないと判定すると、ステップＳ６４の処理に移行する。
【００４６】
次に、「データ送信ＳＴＡＲＴ」コマンドを画像受信側に発信する（ステップＳ５６）。画像受信側では、該「データ送信ＳＴＡＲＴ」コマンドを受信すると（ステップＳ７７）、送信画像データファイルの大きさが受信側メモリカード空容量より大きい（ＯＫ）か否かを判定する（ステップＳ７８）。ここで、ＯＫでないと判定されれば、「ＮＧ」コマンドを発信して（ステップＳ８０）、ステップＳ９２の処理に移行する。また、ＯＫであると判定されると、「ＯＫ」コマンドを画像送信側に発信する。
【００４７】
画像送信側は、この「ＯＫ」コマンドの受信を確認し（ステップＳ５７）、受信していなければ、ステップＳ６４の処理に移行し、受信を確認すると、データを送信し、ＬＣＤを点滅し（電話マーク点滅）（ステップＳ５８）、「データ送信終了」コマンドを発信する（ステップＳ５９）。画像受信側では、「データ送信終了」コマンドの受信を確認し（ステップＳ８３）、受信していなければステップＳ８１の処理に戻る。
【００４８】
画像送信側では、ステップＳ５９において、「データ送信終了」コマンドを画像受信側に発信した後、画像受信側からの「再送信リクエスト」コマンドの受信を確認し（ステップＳ６０）、受信していればステップＳ５６の処理に戻る。ステップＳ６０において、「再送信リクエスト」コマンドを受信していなければ、「ＯＫ」コマンドの受信を確認し（ステップＳ６１）、受信していなければステップＳ６４の処理に移行し、受信を確認できれば、ＬＣＤを点灯し（ステップＳ６２）、通信スイッチ１４Ｆが“ＯＦＦ”であることを判定し、“ＯＦＦ”でなければ、ステップＳ５６の処理に戻り、“ＯＦＦ”であれば「通信エンド」コマンドを画像受信側に送出する（ステップＳ６４）。
【００４９】
画像受信側では、該「通信エンド」コマンドの受信を確認し（ステップＳ９２）、受信していなければステップＳ７７の処理に戻り、受信を確認すれば「ＯＫ」コマンドを画像送信側に発信し（ステップＳ９３）、ＬＣＤを消灯して（ステップＳ９４）、処理を終了する。
【００５０】
ステップＳ９３で発信された「ＯＫ」コマンドの画像送信側での受信を確認し（ステップＳ６５）、受信していなければ、ステップＳ６４の処理に戻り、受信が確認されると、ＬＣＤを消灯して（ステップＳ６６）、処理を終了する。
【００５１】
一方、画像受信側では、画像送信側からステップＳ５９で発信された「データ送信終了」コマンドを受信すると、受信画像を再生し（ステップＳ８４）、ユーザが再送信を要求するため左矢印スイッチ１４Ｃが操作されたか否かを判定する（ステップＳ８５）。ここで、該スイッチが操作されていると、上記の「再送信リクエスト」コマンドを発信して（ステップＳ８６）、ステップＳ７７の処理に戻り、操作されていないと、トリガ２スイッチの“ＯＮ”状態を判定する（ステップＳ８７）。トリガ２スイッチがＯＮ状態であるときには、受信を確認すると、受信側メモリカードにデータ記録後も充分な空容量がある（ＯＫ）か否かを判定する（ステップＳ８８）。ここで、ＯＫでなければ「ＮＧ」コマンドを発信して（ステップＳ９１）、ステップＳ９２の処理に移行する。また、ＯＫであれば「ＯＫ」コマンドを画像送信側に発信する（ステップＳ８９）。トリガ２スイッチが“ＯＮ”でないときには、右矢印スイッチ１４Ｃが操作（ＯＮ）されたか否かを判定し（ステップＳ８５）、操作されていなければステップＳ８５の処理に戻り、操作されていれば受信画像を消去した後（ステップＳ９６）、ステップＳ８８の処理に移行する。
【００５２】
本発明の他の実施例は、図１３〜図１５に示す実施例と同様な目的を達成するもので、複数の画像の指定をＤＯＳ管理の指定されたファイル名をコントロールファイルに記録して管理することにより、ファイル名をカメラにて表示することなく、複数画像の指定を可能とし、容易に連続して画像伝送できるようにするものである。
【００５３】
図１６は、本実施例の動作処理手順を説明するフローチャートであり、プログラム伝送設定処理手順を示す。
【００５４】
伝送モードに入り、再生動作を開始した後（ステップＳ１０１）、ＤＲＩＶＥスイッチ１４Ｉを３秒間（３Ｓ）押下し続けてプログラムモード（ＤＲＩＶＥーＰモード）となったか否を判定する（ステップＳ１０２）。プログラムモードでなければ、そのまま伝送モードに入り、プログラムモードであれば、設定モードとし（ステップＳ１０３）、右矢印スイッチ１４Ｄが操作されているか否かを判定する（ステップＳ１０４）。操作されていれば、次の画像を再生した後（ステップＳ１０６）、また、操作されていなければ、次は左矢印スイッチ１４Ｃが操作されているか否かを判定する（ステップＳ１０５）。ここで、操作されていれば前の画像を再生した後（ステップＳ１０７）、操作されていなければ、そのままトリガ１スイッチ１４ＡがＯＮか否かを判定する。ＯＮでないと判定されればステップＳ１０４の処理に戻り、ＯＮと判定されれば、再生している画像のファイル名を取得する（ステップＳ１０９）。その後、トリガ２スイッチ１４ＢがＯＮか否かが判定され（ステップＳ１１０）、ＯＮでなければ、ステップＳ１０４の処理に戻り、ＯＮであれば、ファイル名をコントロールファイルに記録して（ステップＳ１１１）、伝送モードに入る。
【００５５】
図１７にはプログラム伝送処理手順が示されており、先ず、図１６と同様にＤＲＩＶＥーＰスイッチが３秒間ＯＮ（押下）状態にあるか否を判定し（ステップＳ１２１）、そうであれば、図１６の設定処理に移る。また、そうでなければ、コントロールファイルを読み込み（ステップＳ１２２）、設定してある画像のファイル名を取得し（ステップＳ１２３）、再生動作を行う（ステップＳ１２４）。続いて、トリガ２スイッチ１４ＢがＯＮになるのを待って（ステップＳ１２５）、伝送処理を行い（ステップＳ１２６）、再生モードに入る。
【００５６】
図１８は、本発明の更に他の実施例を示すフローチャートであり、複数の画像の指定を、ＤＯＳ管理の指定されたファイルのデイレクトリエントリＮＯ．をコントロールファイルに記録して管理することにより、ファイル名をカメラにて表示することなく複数の画像の指定を可能とする動作処理を示す。
【００５７】
本実施例の前半部分の処理手順は、図１６に示す処理手順と同じであり、トリガ２スイッチ１４ＢがＯＮと判定したときに、エントリＮＯ．をコントロールファイルに記録して（ステップＳ１３１）、伝送モードに入る。
【図面の簡単な説明】
【００５８】
【図１】本発明の一実施例によるカメラの構成ブロック図である。
【図２】図１に示す実施例における画像処理及びメモリカードへの記録処理系の詳細ブロック図である。
【図３】受信側としてパソコンを用いて、画像データを変換、表示プログラムとともに受信したデータを処理する処理系の構成ブロック図である。
【図４】本発明の実施例におけるパソコン側（受信側）でのカードフォーマットの処理手順を示す図である。
【図５】本発明の実施例における受信側での表示処理手順を示すフローチャートである。
【図６】本発明の実施例におけるシステム構成図及び動作説明図である。
【図７】ＩＣメモリカードの構造例を示す図でさる。
【図８】デジタルスチルカメラで用いられるＩＣカードのデータ領域の構造図である。
【図９】本発明の実施例におけるカードのフォーマットの手順を示す図である。
【図１０】本発明の実施例における受信側（パソコン側）でのカードフォーマットの処理手順を示す図である。
【図１１】各ファイルの構造例を示す図である。
【図１２】本発明の実施例におけるカメラ側とパソコン側のファイル変換例を説明する図である。
【図１３】本発明の更に他の実施例によるカメラにおける処理手順を示すフローチャートである。
【図１４】図１３に示す実施例における画像送信側装置の処理手順のフローチャートである。
【図１５】図１３に示す実施例における画像受信側装置の処理手順のフローチャートである。
【図１６】本発明の更に他の実施例の動作処理手順を説明するフローチャートである。
【図１７】図１６の実施例のプログラム伝送処理手順を示すフローチャートである。
【図１８】本発明の他の実施例を示すフローチャートである。
【図１９】従来のシステムの構成図及び説明図である。
【図２０】デジタルスチルカメラのカメラ（ＤＳＣ）画像とパソコンのパソコン（ＰＣ）画像との画像処理の違いを説明するための図である。
【符号の説明】
【００５９】
１                  レンズ
２                  ＣＣＤ
３                  撮像プロセス回路
４、２５            Ａ／Ｄコンバータ
５、７、９          セレクタ
６                  ＲＡＭ
８                  圧縮・伸長ユニット
１０                カードインタフェース回路
１１                ＩＣカードメモリ
１２                システム制御回路
１３                符号化制御回路
１４                操作部
１５                再生プロセス回路
１６                Ｄ／Ａコンバータ
１７                ＥＶＦ
１８                ＬＣＤ
１９                通信制御回路
２０                シリアルインタフェース回路
２１                フレームメモリコントローラ
２２                同期信号発生回路
２３                伝送用データ受信バッファ
２４                コードＲＡＭ
２５                外部メモリ
【図１】
2004222317.tif 000003
【図２】
2004222317.tif 000004
【図３】
2004222317.tif 000005
【図４】
2004222317.tif 000006
【図５】
2004222317.tif 000007
【図６】
2004222317.tif 000008
【図７】
2004222317.tif 000009
【図８】
2004222317.tif 000010
【図９】
2004222317.tif 000011
【図１０】
2004222317.tif 000012
【図１１】
2004222317.tif 000013
【図１２】
2004222317.tif 000014
【図１３】
2004222317.tif 000015
【図１４】
2004222317.tif 000016
【図１５】
2004222317.tif 000017
【図１６】
2004222317.tif 000018
【図１７】
2004222317.tif 000019
【図１８】
2004222317.tif 000020
【図１９】
2004222317.tif 000021
【図２０】
2004222317.tif 000022